(57)【要約】【課題】  ダンパーフェルトの弦への当たり方を容易に調整でき、それにより、ダンパーの止音性能およびピアノの演奏性を向上させることができるグランド型ピアノのダンパーを提供する。【解決手段】  水平に張られた弦Ｓの上側に設けられ、主ダンパーヘッド３５、および主ダンパーヘッド３５の下面に貼り付けられた主ダンパーフェルト３６を有するダンパー本体３１と、主ダンパーヘッド３５の弦Ｓの延び方向の少なくとも一端部側に隣接し、変形可能な調整部材３２を介して主ダンパーヘッド３５に連結された補助ダンパーヘッド３８、および補助ダンパーヘッド３８の下面に貼り付けられた補助ダンパーフェルト３９を有する補助ダンパー３３と、を備え、補助ダンパーフェルト３９の下面は、主ダンパーフェルト３６の下面よりも下側に位置している。【選択図】図４
2012053416.tif 000002
【特許請求の範囲】
【請求項１】
複数の鍵ごとに水平に張られた弦から上方に離れることによって、当該弦の振動を許容し、当該弦に上方から当接することによって、当該弦の振動を停止するグランド型ピアノのダンパーであって、
前記弦の上側に設けられ、主ダンパーヘッド、および当該主ダンパーヘッドの下面に貼り付けられた主ダンパーフェルトを有するダンパー本体と、
前記主ダンパーヘッドの前記弦の延び方向の少なくとも一端部側に隣接し、変形可能な調整部材を介して前記主ダンパーヘッドに連結された補助ダンパーヘッド、および当該補助ダンパーヘッドの下面に貼り付けられた補助ダンパーフェルトを有する補助ダンパーと、を備え、
前記補助ダンパーフェルトの下面は、前記主ダンパーフェルトの下面よりも下側に位置していることを特徴とするグランド型ピアノのダンパー。
【請求項２】
前記調整部材は、金属製の線材で構成され、前記主ダンパーヘッドおよび前記補助ダンパーヘッドの互いに対向する面に差し込まれていることを特徴とする、請求項１に記載のグランド型ピアノのダンパー。
【請求項３】
前記補助ダンパーフェルトは、前記主ダンパーフェルトよりも柔らかいことを特徴とする、請求項１または２に記載のグランド型ピアノのダンパー。
【発明の詳細な説明】
【技術分野】
【０００１】
本発明は、水平に張られた弦に離接することによって、弦の振動を許容または停止するグランド型ピアノのダンパーに関する。
【背景技術】
【０００２】
従来、この種のダンパーとして、例えば特許文献１に開示されたものが知られている。このダンパーは、グランドピアノ用のものであり、単一のダンパーヘッドと、ダンパーヘッドの下面に固定された２つの主ダンパーフェルトおよび２つの補助ダンパーフェルトを備えている。弦の延び方向において、２つの主ダンパーフェルトは、ダンパーヘッドの中央付近に配置され、２つの補助ダンパーフェルトは、主ダンパーフェルトの両外側に配置されている。補助ダンパーフェルトは主ダンパーフェルトよりも厚く、補助ダンパーフェルトの下面は、主ダンパーフェルトの下面よりも下側に位置している。
【０００３】
鍵が押鍵されると、ダンパーが上方に移動し、主・補助ダンパーフェルトが弦から離れることによって、打弦された弦の振動が許容される。その後、鍵が離鍵されると、ダンパーが下方に移動し、補助ダンパーフェルトが弦に当接した後、主ダンパーフェルトが弦に当接することによって、打弦された弦の振動が段階的に減衰する。
【先行技術文献】
【特許文献】
【０００４】
【特許文献１】実開昭５５−６３５８１号公報
【発明の概要】
【発明が解決しようとする課題】
【０００５】
しかし、上述した従来のダンパーでは、補助ダンパーフェルトがダンパーヘッドに固定されているため、補助ダンパーフェルトの上下方向および左右方向の位置、ならびに角度を容易に調整することができない。このため、補助ダンパーフェルトが弦に当接するタイミングや角度、位置（以下、総称して「弦への当たり方」という）が所望の状態からずれたとしても、これらを容易に調整することができない。その結果、ダンパーの所望の止音性能が得られず、ひいてはピアノの演奏性が低下する。
【０００６】
例えば、ダンパーペダルの踏込み量を調節することによって、離鍵状態でダンパーフェルトを弦に若干、触れさせた状態にする、いわゆるハーフペダルを行う場合、補助ダンパーフェルトが弦に当接するタイミングがずれていても、これを容易に調整できないため、演奏者が意図するハーフペダル効果を得ることができない。
【０００７】
また、１鍵あたりの弦の本数が２本または３本であって、これらの弦をスリットや傾斜面を形成した１つのダンパーフェルトで止音する場合、補助ダンパーフェルトの左右方向の位置や角度がずれているためにスリットおよび傾斜面が弦に良好に係合しないときでも、これを容易に調整できないため、弦の振動を十分に減衰させることができず、ダンパーの良好な止音性能を得ることができない。
【０００８】
本発明は、以上のような課題を解決するためになされたものであり、ダンパーフェルトの弦への当たり方を容易に調整でき、それにより、ダンパーの止音性能およびピアノの演奏性を向上させることができるグランド型ピアノのダンパーを提供することを目的とする。
【課題を解決するための手段】
【０００９】
上記の目的を達成するために、請求項１に係る発明は、複数の鍵ごとに水平に張られた弦から上方に離れることによって、弦の振動を許容し、弦に上方から当接することによって、弦の振動を停止するグランド型ピアノのダンパーであって、弦の上側に設けられ、主ダンパーヘッド、および主ダンパーヘッドの下面に貼り付けられた主ダンパーフェルトを有するダンパー本体と、主ダンパーヘッドの弦の延び方向の少なくとも一端部側に隣接し、変形可能な調整部材を介して主ダンパーヘッドに連結された補助ダンパーヘッド、および補助ダンパーヘッドの下面に貼り付けられた補助ダンパーフェルトを有する補助ダンパーと、を備え、補助ダンパーフェルトの下面は、主ダンパーフェルトの下面よりも下側に位置していることを特徴とする。
【００１０】
この構成によれば、例えば鍵が押鍵されると、ダンパーの下面に貼り付けられた主ダンパーフェルトおよび補助ダンパーフェルトが弦から上方に離れることによって、弦の振動を許容する。その後、鍵が離鍵されると、主ダンパーフェルトおよび補助ダンパーフェルトが弦に上方から当接することによって、弦の振動を停止する。この場合、補助ダンパーフェルトの下面が、主ダンパーヘッドの下面よりも下側に位置するので、補助ダンパーフェルトが弦に当接した後、主ダンパーフェルトが弦に当接することによって、弦の振動を段階的に減衰させる。
【００１１】
また、補助ダンパーヘッドが、主ダンパーヘッドの弦の延び方向の少なくとも一端部側に隣接し、変形可能な調整部材を介して主ダンパーヘッドに連結されているので、調整部材を変形させることによって、補助ダンパーヘッドおよびその下面に貼り付けられた補助ダンパーフェルトの上下方向および左右方向の位置、ならびに角度を調整することができる。さらに、この調整を、補助ダンパーフェルトを取り付けたまま、行うことができる。このため、補助ダンパーフェルトの弦への当たり方が所望の状態からずれたとしても、これをダンパーごとに容易に調整でき、その結果、ダンパーの止音性能およびピアノの演奏性を向上させることができる。
【００１２】
例えば、調整部材により補助ダンパーフェルトの上下方向の位置を調整し、補助ダンパーフェルトが弦に当接するタイミングを調整することによって、演奏者が意図するハーフペダル効果を容易に得ることができる。また、複数の弦をスリットおよび傾斜面が形成された補助ダンパーフェルトで止音する場合には、補助ダンパーフェルトの左右方向の位置および角度を調整し、スリットおよび傾斜面を弦に良好に係合させるようにすることで、ダンパーの良好な止音性能を得ることができる。
【００１３】
請求項２に係る発明は、請求項１に記載のグランド型ピアノのダンパーにおいて、調整部材は、金属製の線材で構成され、主ダンパーヘッドおよび補助ダンパーヘッドの互いに対向する面に差し込まれていることを特徴とする。
【００１４】
この構成によれば、金属製の線材で構成された調整部材を曲げるだけで、補助ダンパーヘッドおよび補助ダンパーフェルトの位置および角度を調整できる。また、この調整を、調整部材を繰り返し曲げることによって行えるため、補助ダンパーフェルトの弦への当たり方の調整を、非常に容易に行うことができる。
【００１５】
請求項３に係る発明は、請求項１または２に記載のグランド型ピアノのダンパーにおいて、補助ダンパーフェルトは、主ダンパーフェルトよりも柔らかいことを特徴とする。
【００１６】
この構成によれば、補助ダンパーフェルトが主ダンパーフェルトよりも柔らかいので、ダンパーフェルトが弦に当接する際、補助ダンパーフェルトが弦に当接し、圧縮された状態で、主ダンパーフェルトが弦に確実に当接する。このため、弦の振動を、補助ダンパーフェルトである程度、減衰させた後、主ダンパーフェルトで減衰させることができる。したがって、主・補助ダンパーフェルトによる弦の振動の段階的な減衰を良好に行うことができる。
【図面の簡単な説明】
【００１７】
【図１】本発明の第１実施形態によるダンパーを備えたグランドピアノの鍵盤装置を示す側面図である。
【図２】図１のダンパー、鍵およびその周辺部を拡大して示す斜視図である。
【図３】ダンパー本体および補助ダンパーと弦との位置関係を離鍵状態および押鍵状態においてそれぞれ示す断面図である。
【図４】図１のダンパーのダンパーヘッドと弦との位置関係を示す側面図である。
【図５】第１実施形態のダンパーヘッドの変形例を示す側面図である。
【図６】第２実施形態によるダンパーのダンパーヘッドを示す側面図である。
【発明を実施するための形態】
【００１８】
以下、図面を参照しながら、本発明の好ましい実施形態を詳細に説明する。図１は、本発明の第１実施形態によるダンパー１を備えたグランドピアノ（以下「ピアノ」という）２の鍵盤装置３を、離鍵状態において示している。なお、以下の説明では、ピアノ２を演奏者から見た場合の手前側（同図の右側）を「前」、奥側（同図の左側）を「後」、さらに左側および右側をそれぞれ「左」および「右」とし、説明を行うものとする。
【００１９】
同図に示すように、鍵盤装置３は、筬４、鍵盤５、アクション６および複数のハンマー７（いずれも１つのみ図示）を備えている。鍵盤５は、複数（例えば８８個）の鍵５ａ（１つのみ図示）で構成されている。鍵５ａは、その中央部において、筬４に立設されたバランスピン８に揺動自在に支持されており、前後方向に延びている。
【００２０】
アクション６は、鍵盤５の後部の上方に配置されており、鍵５ａごとに、ウィッペン１１、レペティションレバー１２およびジャック１３を有している。ウィッペン１１は、その後端部において、ウィッペンフレンジ１１ａを介してウィッペンレール１０に回動自在に支持され、中央において鍵５ａに載置されている。レペティションレバー１２およびジャック１３は、ウィッペン１１に回動自在に取り付けられている。
【００２１】
各ハンマー７は、鍵５ａごとに設けられ、前後方向に延びるハンマーシャンク７ａと、ハンマーシャンク７ａの後端部に取り付けられたハンマーヘッド７ｂを備えており、ハンマーシャンク７ａの前端部において、シャンクフレンジ７ｃを介してハンマーシャンクレール１４に回動自在に支持されている。
【００２２】
以上の構成によれば、鍵５ａが押鍵されると、鍵５ａがバランスピン８を中心として図１の時計方向に回動するのに伴い、ウィッペン１１が、鍵５ａで突き上げられ、反時計方向に回動する。このウィッペン１１の回動に伴い、レペティションレバー１２およびジャック１３が上方に移動し、ジャック１３がハンマー７を突き上げることによって、ハンマー７が、時計方向に回動し、その上方に水平に張られた弦Ｓを打弦する。
【００２３】
図１および図２に示すように、本発明に係るダンパー１は、鍵盤５の後方に配置されており、鍵５ａごとに設けられた複数のダンパーレバー２２およびダンパーヘッド２３（いずれも１つのみ図示）を備えている。
【００２４】
各ダンパーレバー２２は、その後端部において、ダンパーレバーフレンジ２４を介してダンパーレバーレール２１に回動自在に支持され、前後方向に延びている。また、ダンパーレバー２２は、リフティングレール２９に載置されている。リフティングレール２９は、上下方向に延びるリフティングレール突揚棒３０に載置されており、このリフティングレール突揚棒３０の下端部は、ダンパーペダル（図示せず）に連結されている。離鍵状態では、ダンパーレバー２２の前端部は、対応する鍵５ａの後端部に上方から対向している。
【００２５】
また、ダンパーレバー２２の中央には、ダンパーワイヤフレンジ２５が回動自在に取り付けられている。ダンパーワイヤフレンジ２５の上面にはダンパーワイヤ２７が固定され、上方に延びている。ダンパーワイヤ２７は、ダンパーワイヤガイドホルダ２８のガイド孔２８ａに通されており、その上端部に前記ダンパーヘッド２３が取り付けられている。
【００２６】
ダンパーヘッド２３は、ダンパー本体３１、調整部材３２および補助ダンパー３３で構成されており、弦Ｓの上側に配置されている。ダンパー本体３１および補助ダンパー３３は、ピアノの通常のダンパーヘッドを分割したものである。図１〜図４は、中音域用の弦Ｓおよびダンパーヘッド２３を示している。この弦Ｓは、高炭素鋼製の３本のミュージックワイヤＭＷで構成されており、これらのミュージックワイヤＭＷは、互いに同じ高さに、所定の等間隔で、左右方向に並設されている（図３）。
【００２７】
ダンパー本体３１は、主ダンパーヘッド３５と、主ダンパーヘッド３５に取り付けられた２つの主ダンパーフェルト３６、３６を有している。主ダンパーヘッド３５は、木材で構成されており、前後方向に延びている。主ダンパーヘッド３５の左側面の中央付近には、穴３５ａが形成されており、この穴３５ａに、右方に曲げられたダンパーワイヤ２７の上端部が係合している。また、主ダンパーヘッド３５の背面には、左右２つの穴３５ｂ、３５ｂ（図４（ａ）に１つのみ図示）が形成されている。
【００２８】
２つの主ダンパーフェルト３６、３６は、ダンパーワイヤ２７の前後に配置され、アンダーフェルト３７を介して主ダンパーヘッド３５の下面に貼り付けられている。図３（ａ）に示すように、各主ダンパーフェルト３６の左右の側面は、下方に向かって内方に傾斜する傾斜面３６ａ、３６ａになっており、また、下面の中央には、三角形状のスリット３６ｂが形成され、これらは、各主ダンパーフェルト３６の前後方向の全体にわたって延びている。その結果、傾斜面３６ａ、３６ａおよびスリット３６ｂによって、主ダンパーフェルト３６には、楔状の２つの係合部３６ｃ、３６ｃが形成されている。
【００２９】
補助ダンパー３３は、補助ダンパーヘッド３８と、補助ダンパーヘッド３８に取り付けられた補助ダンパーフェルト３９を有している。補助ダンパーヘッド３８は、主ダンパーヘッド３５の後端部の後ろ側に隣接するように配置されている。補助ダンパーヘッド３８の前面には、左右２つの穴３８ａ、３８ａ（図４（ａ）に１つのみ図示）が形成されている。補助ダンパーフェルト３９は、主ダンパーフェルト３６よりも柔らかいフェルトで構成されており、アンダーフェルト４０を介して、補助ダンパーヘッド３８の下面に貼り付けられている。
【００３０】
図３（ｂ）に示すように、補助ダンパーフェルト３９の断面形状は、主ダンパーフェルト３６と同じであり、左右の側面の傾斜面３９ａ、３９ａと下面の中央のスリット３９ｂによって、補助ダンパーフェルト３９には、その前後方向の全体にわたって、楔状の２つの係合部３９ｃ、３９ｃが形成されている。
【００３１】
調整部材３２は、２本の線材３２ａ、３２ａ（１本のみ図示）で構成されている。線材３２ａは、手で曲げることが可能で、かつ曲げられた後に形状が保持されるような硬さを有する金属、例えば銅やアルミニウムで構成されている。線材３２ａ、３２ａの一端部は主ダンパーヘッド３５の穴３５ｂ、３５ｂに、他端部は補助ダンパーヘッド３８の穴３８ａ、３８ａにそれぞれ差し込まれ、固定されており、それにより、補助ダンパーヘッド３８は、調整部材３２を介して主ダンパーヘッド３５に連結されている。また、補助ダンパー３３は主ダンパー３１に対して後ろ下がりに傾斜しており、補助ダンパーフェルト３９の下面は、主ダンパーフェルト３６の下面よりも下側に位置している。
【００３２】
次に、図４などを参照しながら、上述した構成のダンパー１の動作について説明する。同図（ａ）に示す離鍵状態では、ダンパーヘッド２３の主ダンパーフェルト３６および補助ダンパーフェルト３９は、弦Ｓに上方から当接している。この状態では、図３（ｃ）および（ｄ）に示すように、主・補助ダンパーフェルト３６、３９の各係合部３６ｃ、３９ｃは、隣り合う２本のミュージックワイヤＭＷ、ＭＷの間に係合し、スリット３６ｂ、３９ｂは、中央のミュージックワイヤＭＷに係合している。
【００３３】
この状態から鍵５ａが押鍵されると、鍵５ａは、図１の時計方向に回動し、ダンパーレバー２２に接触し、これを押圧する。これにより、ダンパーレバー２２は、その後端部を中心として反時計方向に回動する。この回動に伴い、ダンパーワイヤ２７がダンパーワイヤホルダ２８のガイド孔２８ａで案内されながら、ダンパーワイヤフレンジ２５、ダンパーワイヤ２７およびダンパーヘッド２３が上方に移動する。これにより、主ダンパーフェルト３６および補助ダンパーフェルト３９が弦Ｓから離れる（図４（ｂ））。そして、その状態で、アクション６により駆動されたハンマー７が弦Ｓを打弦することによって、弦Ｓの振動が許容され、ピアノ音が発生する。
【００３４】
その後、鍵５ａが離鍵されると、ダンパーレバー２２が時計方向に復帰回動するのに伴い、上述した動作と逆の動作で、ダンパーヘッド２３などが下方に移動する。このダンパーヘッド２３の移動に伴い、より下側に位置する補助ダンパーフェルト３９がまず弦Ｓに当接することにより（同図（ｃ））、弦Ｓの振動をある程度、減衰させる。その後、補助ダンパーフェルト３９が圧縮された状態で、より上側に位置する主ダンパーフェルト３６が弦Ｓに当接することにより（同図（ｄ））、弦Ｓの振動をさらに減衰させることによって、弦Ｓの振動が停止され、止音される。
【００３５】
また、ダンパーペダルが踏込み操作されると、リフティングレール２９がリフティングレール突揚棒３０で突き上げられることによって、上方に回動する。これにより、すべてのダンパーレバー２２が上方に回動し、主・補助ダンパーフェルト３６、３９が弦Ｓから一斉に離れることによって、すべての弦Ｓの振動が許容され、ダンパーペダル効果が付与される。
【００３６】
さらに、補助ダンパーフェルト３９の弦Ｓへの当たり方が所望の状態からずれている場合には、補助ダンパーフェルト３９の位置および角度が調整部材３２によって調整される。例えば、補助ダンパーフェルト３９が弦Ｓに当接するタイミングがずれている場合には、補助ダンパーヘッド３８を摘み、力を加えることにより線材３２ａ、３２ａを上方または下方に曲げることによって、補助ダンパーフェルト３９の上下方向の位置を調整する。また、補助ダンパーフェルト３９の左右方向の位置や角度がずれているために、その係合部３９ｃが弦Ｓに良好に係合しない場合には、線材３２ａ、３２ａを左方または右方に曲げることによって、補助ダンパーフェルト３９の左右方向の位置および角度を調整する。
【００３７】
以上ように、本実施形態によれば、調整部材３２を構成する線材３２ａ、３２ａを手で曲げるだけで、補助ダンパーフェルト３９の上下方向および左右方向の位置、ならびに角度を容易に調整でき、演奏者が意図するハーフペダル効果や、ダンパー１の良好な止音性能などを容易に得ることができる。その結果、ダンパー１の止音性能およびピアノ２の演奏性を向上させることができる。また、上述した調整を、補助ダンパーフェルト３９を取り付けたまま、調整部材３２を繰り返し曲げることによって行えるため、補助ダンパーフェルト３９の弦Ｓへの当たり方の調整を、非常に容易に行うことができる。
【００３８】
また、補助ダンパーフェルト３９が主ダンパーフェルト３６よりも柔らかいので、ダンパーフェルトが弦Ｓに当接する際、補助ダンパーフェルト３９が弦Ｓに当接し、圧縮された状態で、主ダンパーフェルト３６が弦Ｓに確実に当接する。このため、弦Ｓの振動を、補助ダンパーフェルト３９である程度、減衰させた後、主ダンパーフェルト３６で減衰させることができる。したがって、主・補助ダンパーフェルト３６、３９による弦Ｓの振動の段階的な減衰を良好に行うことができる。
【００３９】
図５は、ダンパーヘッド２３の変形例を示している。同図に示すように、ダンパーヘッド４２は、ピアノの通常のダンパーヘッドをダンパー本体４３とし、これに調整部材３２を介して補助ダンパー３３を取り付けたものである。ダンパー本体４３の前後方向の長さは、第１実施形態のダンパー本体３１よりも長く、その分、補助ダンパー３３を合わせたダンパーヘッド４２全体の前後方向の長さが、第１実施形態のダンパーヘッド２３全体の長さよりも大きくなっている。
【００４０】
以上の構成により、この変形例においても、第１実施形態と同様の効果を得ることができる。また、第１実施形態と比較し、ダンパーヘッド４２がより長いため、弦Ｓの振動をより良好に減衰させることができ、ダンパーヘッド４２による止音動作をより良好に行うことができる。さらに、ダンパーヘッド４２は既存のダンパー本体４３に補助ダンパー３３を取り付けるだけで構成できるため、第１実施形態のダンパー１よりも低コストで製造することができる。
【００４１】
次に、図６を参照しながら、本発明の第２実施形態によるダンパー５１について説明する。なお、同図では、第１実施形態のダンパー１と同じ構成部品については、同じ符号が付されている。同図に示すように、ダンパー５１は、ダンパー１の調整部材３２に代えて、調整部材５２を用いたものである。この調整部材５２は、熱可塑性樹脂で構成されたブロック状のものであり、主ダンパーヘッド３５の背面と補助ダンパーヘッド３８の前面との間に介在した状態で設けられ、両者３５、３８を連結している。ダンパー５１の他の構成は、第１実施形態のダンパー１と同じである。
【００４２】
本実施形態では、補助ダンパーフェルト３９の位置および角度を調整する際には、調整部材５２を加熱することによって軟化させた後、補助ダンパーヘッド３８を介して調整部材５２に力を加えることによって、補助ダンパーフェルト３９の所望の位置および角度が得られるように調整部材５２を変形させ、その状態を調整部材５２が硬化するまで保持する。これにより、補助ダンパーフェルト３９の位置および角度を容易に調整することができる。したがって、本実施形態においても、第１実施形態と同様の効果を得ることができる。
【００４３】
なお、本発明は、説明した実施形態に限定されることなく、種々の態様で実施することができる。例えば、実施形態では、弦Ｓの振幅がより大きい部分に当接し、弦Ｓの振動をより効果的に減衰させるために、補助ダンパー３３を主ダンパーヘッド３５の後ろ側に配置しているが、前側に配置してもよく、あるいは、後ろ側および前側の両方に配置してもよい。
【００４４】
また、実施形態では、３本のミュージックワイヤＭＷで構成された弦Ｓを、１つのスリット３９ｂおよび２つの係合部３９ｃを有するダンパーヘッド３５で止音する中音域用のダンパー１を例にとり説明したが、弦の本数、スリットの有無、スリットおよび係合部の数や音域にかかわらず、本発明を適用してもよいことはもちろんである。さらに、主ダンパーヘッド３５に前後２つの主ダンパーフェルト３６、３６を設けているが、前後方向の長さがより小さな高音域用のダンパーヘッドでは、主ダンパーフェルトを１つだけ設けてもよい。その他、本発明の趣旨の範囲内で、細部を適宜変更することが可能である。
【００４５】
また、実施形態は、本発明をアコースティックタイプのグランドピアノ２に適用した例であるが、これに限らず、消音タイプなどの他のタイプのグランドピアノに適用してもよいことはもちろんである。
【符号の説明】
【００４６】
１  ダンパー
２  グランドピアノ（グランド型ピアノ）
５ａ  鍵
２３  ダンパーヘッド
３１  ダンパー本体
３２  調整部材
３２ａ  線材
３３  補助ダンパー
３５  主ダンパーヘッド
３６  主ダンパーフェルト
３８  補助ダンパーヘッド
３９  補助ダンパーフェルト
４２  ダンパーヘッド
４３  ダンパー本体
５１  ダンパー
５２  調整部材
Ｓ  弦
【図１】
2012053416.tif 000003
【図２】
2012053416.tif 000004
【図３】
2012053416.tif 000005
【図４】
2012053416.tif 000006
【図５】
2012053416.tif 000007
【図６】
2012053416.tif 000008